(57)【特許請求の範囲】
【請求項１】
角形の断面を持ったアーチワイヤーの貫通孔を持ったチューブ、該チューブが取り付けられる板状のベース、前記チューブはその貫通孔の中心を通る線がベースの面の垂線に対して一定の角度の傾きを持ってベースに取り付けられており、チューブをベースを介して小臼歯に固着してアーチワイヤーをチューブ貫通孔に通して取り付けることにより、チューブの角形の断面を持ったアーチワイヤーの貫通孔が、一次治療用の断面が丸型のアーチワイヤーに対しては点で接触して緩やかな固定を行い、二次治療用の断面が角型のアーチワイヤーに対してはしっかりした固定を行う、ようにしたことを特徴とする小臼歯用チューブ。
【請求項２】
請求項１において、チューブのベースの面の垂線に対する、貫通孔の中心を通る線の角度の傾きが、上顎の第一，第二小臼歯、下顎の第一小臼歯、下顎の第二小臼歯に使用されるチューブは、それぞれのベースの面の垂線に対して、貫通孔の傾き角度θが変えられていることを特徴とする小臼歯用チューブ。
【請求項３】
角形の断面を持ち、挿入部の両端が円錐の漏斗状に形成されたアーチワイヤーの貫通孔を持ったチューブ、該チューブが取り付けられる板状のベース、前記チューブはその貫通孔の中心を通る線がベースの面の垂線に対して一定の角度の傾きを持ってベースに取り付けられており、チューブをベースを介して小臼歯に固着してアーチワイヤーをチューブ貫通孔に通して取り付けることにより、チューブの角形の断面を持ったアーチワイヤーの貫通孔が、一次治療用の断面が丸型のアーチワイヤーに対しては点で接触して緩やかな固定を行い、二次治療用の断面が角型のアーチワイヤーに対してはしっかりした固定を行う、ようにしたことを特徴とする小臼歯用チューブ。
【請求項４】
角形の断面を持ち、挿入部の両端が円錐の漏斗状に形成されたアーチワイヤーの貫通孔を持ったチューブ、該チューブが取り付けられる基準溝を持った板状のベース、前記チューブはその貫通孔の中心を通る線がベースの面の垂線に対して一定の角度の傾きを持ってベースに取り付けられており、チューブをベースを介して小臼歯に固着してアーチワイヤーをチューブ貫通孔に通して取り付けることにより、チューブの角形の断面を持ったアーチワイヤーの貫通孔が、一次治療用の断面が丸型のアーチワイヤーに対しては点で接触して緩やかな固定を行い、二次治療用の断面が角型のアーチワイヤーに対してはしっかりした固定を行う、ようにしたことを特徴とする小臼歯用チューブ。
【請求項５】
請求項３乃至請求項４において、チューブのベースの面の垂線に対する、貫通孔の中心を通る線の角度の傾きが、上顎の第一，第二小臼歯、下顎の第一小臼歯、下顎の第二小臼歯に使用されるチューブは、それぞれのベースの面の垂線に対して、貫通孔の傾き角度θが変えられていることを特徴とする小臼歯用チューブ。
【発明の詳細な説明】
【０００１】
【発明の属する技術分野】
本発明は、歯科用の歯列矯正に使用する小臼歯用チューブに関するものである。本発明の小臼歯用チューブは、補助的な結紮ワイヤーやロックピン等を必要とせずにアーチワイヤーを安定に装着することが出来る。
【０００２】
【従来の技術】
八重歯等の歯列の正常でない歯は、見た目が悪いだけでなく、歯垢が付き易く虫歯や歯槽膿漏等の原因となるために、歯列を正常な状態に整える歯列矯正治療が行われている。
歯列矯正治療の方法は、歯の表面に矯正具を接着剤等で固定し、この矯正具にアーチワイヤーを通して、歯を押圧することにより、歯列を正しい位置に移動させるようにしている。
【０００３】
従来より広く使用されている歯列矯正具のブラケットとアーチワイヤーを使用した歯列矯正治療方法の一例を図６に示す。
図６の、（ａ）はブラケットとアーチワイヤー及び締結ワイヤーとを示す斜視図で、図６の（ｂ）及び（ｃ）は、図６の（ａ）のＩ−Ｉ線における断面図である。
図６において、４０はブラケット、５０はアーチワイヤー、６０は締結ワイヤーである。
ブラケット４０はその接着面を接着剤によって歯の表面に接着されており、ブラケット４０に設けられた角形の溝にアーチワイヤー５０を嵌め、締結ワイヤー６０でアーチワイヤー５０を締結することによって、ブラケット４０にアーチワイヤー５０が固定される。
【０００４】
歯列矯正の治療では、先ず１次治療として大まかに歯列を矯正することが行われる。この１次治療の段階のブラケット４０に対するアーチワイヤー５０の固定は、ある程度の遊びを設けることが必要である。このブラケット４０とアーチワイヤー５０の遊びにより、無理に歯を矯正位置に歯を押圧させないようにして、歯に過大な負担をかけずに患者に不快感を与えないようにしながら、歯を正しい位置へ移動させる。
このために、通常、１次治療の段階に使用されるアーチワイヤー５０は、断面丸形のものが用いられており、アーチワイヤー５０が固定されるブラケット４０の角形の溝に対して多少の遊びを持った状態で締結される。
図６の（ｂ）に示す様に、丸型アーチワイヤー５０を用いると角形の溝に対して点で接触することになり、その接点がアーチワイヤー５０の回転により変わるので、強固な固定とはならない。
【０００５】
１次治療により大まかに歯列が整った歯は、歯列を正確な位置に矯正する二次治療が行われる。二次治療では、アーチワイヤー５０には、ブラケット４０の角溝に合った断面角形のものが使用され、締結ワイヤー６０によってしっかりとブラケット４０に固定される。
図６の（ｃ）に示す様に、断面角形のアーチワイヤー５０を用いるとブラケット４０の角形の溝にぴったりと嵌め込まれるために、トルク角θに応じたトルクが付与され、歯の前後方向の歪みを正しい角度の配置に矯正することができる。
【０００６】
歯列矯正具としては上記の締結ワイヤーでアーチワイヤーを固定台に締結するもの以外にも種々のものが実用化されている。
例えば、締結ワイヤー６０の代わりに、ロックピンを使用して、ブラケットとロックピンによりアーチワイヤーを固定するようにして、締結ワイヤーを使用せずにアーチワイヤーをブラケットに容易に固定する方法が提案されている。
この方法は、アーチワイヤーの固定に、ブラケットに設けられた水平方向に深いアーチワイヤー溝に、上方からアーチワイヤーを挿入して挟み込み、ロックピン用溝に上記ロックピンを通すことによって、アーチワイヤーが外れないように止めている。
【０００７】
【発明が解決しようとする課題】
従来のアーチワイヤーをブラケットに固定する方法では、アーチワイヤーとブラケットの固定の強さの静摩擦力を一定の値に保つことが困難であり、特に固定ワイヤーを使用する締結では、その作業に高度の熟練を必要としていた。
加えて、アーチワイヤーをブラケットに締結により固定する場合に、ゴム結紮ワイヤーを用いた場合に静摩擦力は約６０ｇｆであり、結紮ワイヤーの静摩擦力は大きい場合には２００ｇｆを越えることもある。この締結による静摩擦力は、歯を正しい位置へ移動させるための妨げとなり、時には望まない歯の移動を生じてしまう可能性がある。又、締結による静摩擦力はアーチワイヤー上を滑走させる歯の移動でも妨げとなる問題がある。このため、アーチワイヤーとブラケットの固定の強さを一定の値に保つ固定方法の開発が要望されている。
【０００８】
又、現在使用されている、ブラケットには複雑な多数の凹凸が形成されており、加えて固定のためにワイヤーでの締結等により更に凹凸が増加する為、その凹凸部分に食べ物が溜まり易く、しかも歯ブラシでのブラッシングが行き届き難いので、歯垢が溜まり口中が不衛生になるという問題もある。加えて、装置が複雑であるため壊れ易いという問題もある。
このため、アーチワイヤーとブラケットの固定の強さを一定の値に保つことが出来、構造が簡単で使用に熟練を必要としない歯列矯正具の開発が要望されている。
本発明は以上の様な問題に鑑みてなされたもので、補助的な結紮ワイヤーを必要とせずにトルク移動を行うことができ、固定ワイヤーが不要で歯垢が付きにくく、アーチワイヤーの装着が容易な歯列矯正具を提供することを目的とする。
【０００９】
【課題を解決するための手段】
本発明は、角形の断面を持ったアーチワイヤーの貫通孔を持ったチューブと、このチューブが取り付けられる板状のベースとよりなり、前記チューブはその貫通孔の中心を通る線がベースの面の垂線に対して一定の角度の傾きを持ってベースに取り付けられており、チューブをベースを介して小臼歯に固着してアーチワイヤーをチューブ貫通孔に通して取り付けるようにした小臼歯用チューブを実現することにより、アーチワイヤーを安定に固定出来るようにしたものである。
本発明においては、アーチワイヤーの固定をチューブにより行うようにしたために、口の奥に位置しているために作業のしにくい小臼歯に対して前方からアーチワイヤーを容易に装着することができるので、アーチワイヤー装着施術の過程で、アーチワイヤーを締結により固定やロックピンによる固定を行う必要が無く、アーチワイヤーが勝手には外れることがなく、施術作業性が非常に良好なものとなる。
【００１０】
このために、本発明においては、小臼歯に対して補助的な結紮ワイヤーやロックピン等を必要とせずにアーチワイヤーを装着することが出来、簡単な構造で歯垢が付きにくく、壊れにいアーチワイヤーの装着が容易な小臼歯用チューブを提供することが出来る。
本発明の小臼歯用チューブでは、アーチワイヤーはチューブの挿入孔を貫通することにより固定されるので、アーチワイヤーはチューブの挿入孔の４面、即ち上面，下面，両側面で固定される構成となっている。この４面の固定は、咀嚼等を行ってアーチワイヤーに力が加わってもアーチワイヤーを常時４面からしっかりと固定することができるので所望のトルク移動を可能とする。
【００１１】
【発明の実施の形態】
【実施例】
図１は本発明の小臼歯用チューブの一実施例を示す説明図で、図１の（ａ）は本発明の小臼歯用チューブの一実施例を示す正面図、図１の（ｂ）はそのＩ−Ｉ線での断面図、図１の（ｃ）はその側面の断面図である。
図１の実施例は上顎の第一、第二小臼歯に使用される小臼歯用チューブの例を示したものである。
図１において、１０は、アーチワイヤーの挿入されるチューブである。２０は、角形の断面を持ったチューブ１０の貫通孔である。３０は、チューブ１０が取り付けられる板状のベースである。３２は板状のベース３０に設けられた基準溝である。
チューブ１０はベース３０を介して小臼歯の所定の位置に、基準溝３２を目安にして固着される。図１に示すように、本発明の小臼歯用のチューブは、ベース３０に上にチューブ１０をアーチワイヤー貫通孔２０が略水平方向になるように取り付けられている。
【００１２】
図１の（ｃ）に示すように、チューブ１０はベース３０の面の垂線３１に対して、貫通孔２０の中心を通る線２１が一定の角度θの傾きを持って取り付けられている。このベース３０の面の垂線３１に対して、貫通孔２０の中心を通る線２１の傾き角度θは、チューブが使用される小臼歯によって異なっている。
図１に示した本発明の小臼歯用のチューブは、上顎の左右の第一，第二小臼歯の４本の小臼歯に使用されるものであるが、上顎の第一，第二小臼歯、下顎の第一小臼歯、下顎の第二小臼歯に使用されるチューブは、それぞれの小臼歯に応じてベース３０の面の垂線３１に対して、貫通孔２０の中心を通る線２１の傾き角度θが変えられている。
【００１３】
図２は本発明の小臼歯用チューブの他の実施例を示す説明図で、図２の（ａ）は本発明の小臼歯用チューブの一実施例を示す正面図であり、図３の（ｂ）はそのＩ−Ｉ線での断面図、図２の（ｃ）はその側面の断面図である。
図２の実施例は下顎の第一小臼歯に使用される小臼歯用チューブの例を示したものである。
図２において、１０は、アーチワイヤーの挿入されるチューブである。２０は、角形の断面を持ったチューブ１０の貫通孔である。３０は、チューブ１０が取り付けられる板状のベース、３２は板状のベース３０に設けられた基準溝である。板状のベース３０の形状は図１に示した上顎の第一小臼歯、第二小臼歯に使用されるものとは形状が異なっている。
チューブ１０はベース３０を介して下顎の第一小臼歯に固着される。図２に示すように、本発明の小臼歯用のチューブは、ベース３０に上にチューブ１０をアーチワイヤー貫通孔２０が略水平方向になるように取り付けられている。
図２の（ｃ）に示すように、チューブ１０はベース３０の面の垂線３１に対して、貫通孔２０の中心を通る線２１が一定の角度θの傾きを持って取り付けられている。このベース３０の面の垂線３１に対して、貫通孔２０の中心を通る線２１の傾き角度θは、図１に示した上顎の第一小臼歯、第二小臼歯のものとは異なっており、又チューブが使用される下顎の第一小臼歯、第二小臼歯によっても異なっている。
【００１４】
図３は本発明の小臼歯用チューブの他の実施例を示す説明図である。図３の実施例は、チューブの貫通孔の入口を円錐の漏斗状にしてアーチワイヤーの挿入を容易にしたものである。
図３の（ａ）は本発明の小臼歯用チューブの一実施例を示す正面図、図３の（ｂ）はそのＩ−Ｉ線での断面図、図３の（ｃ）はその側面の断面図である。
図３の実施例は上顎の第一小臼歯、第二小臼歯に使用される小臼歯用チューブの例を示したものである。
図３において、１０は、アーチワイヤーの挿入されるチューブである。２０は、角形の断面を持ったチューブ１０の貫通孔である。２２，２３はチューブの貫通孔２０の入口に設けられた円錐の漏斗状のアーチワイヤーの導入部である。
３０は、チューブ１０が取り付けられる板状のベースである。チューブ１０はベース３０を介して小臼歯に固着される。図１に示すように、本発明の小臼歯用のチューブは、ベース３０上にチューブ１０をアーチワイヤー貫通孔２０が略水平方向になるように取り付けられている。
【００１５】
図３の（ｃ）に示すように、チューブ１０はベース３０の面の垂線３１に対して、貫通孔２０の中心を通る線２１が一定の角度θの傾きを持って取り付けられている。このベース３０の面の垂線３１に対して、貫通孔２０の中心を通る線２１の傾き角度θは、チューブが使用される小臼歯によって異なっている。
図３に示した本発明の小臼歯用のチューブは、上顎の左右の第一小臼歯、第二小臼歯の４本の小臼歯に使用されるものであるが、下顎の第一小臼歯、第二小臼歯に使用されるチューブは、それぞれの小臼歯に応じてベース３０の面の垂線３１に対して、貫通孔２０の中心を通る線２１の傾き角度θが変えられている。
図３の実施例では、チューブの貫通孔の入口に円錐の漏斗状のアーチワイヤーの導入部を設けたために、アーチワイヤーをチューブの貫通孔に挿入する作業が容易になる。
【００１６】
図４は本発明の小臼歯用チューブの更に他の実施例を示す説明図である。
図４の実施例は下顎の第一小臼歯に使用される小臼歯用チューブの例を示したもので、図３と同様にチューブの貫通孔の入口を円錐の漏斗状にしてアーチワイヤーの挿入を容易にしたものである。
図４の（ａ）は本発明の小臼歯用チューブの一実施例を示す正面図であり、図４の（ｂ）はそのＩ−Ｉ線での断面図、図４の（ｃ）はその側面の断面図である。図４において、１０は、アーチワイヤーの挿入されるチューブである。２０は、角形の断面を持ったチューブ１０の貫通孔である。２２，２３はチューブの貫通孔２０の入口に設けられた円錐の漏斗状のアーチワイヤーの導入部である。
３０は、チューブ１０が取り付けられる板状のベースである。板状のベース３０の形状は図１に示した上顎の第一小臼歯、第二小臼歯に使用されるものとは形状が異なっている。
チューブ１０はベース３０を介して小臼歯に固着される。図４に示すように、本発明の小臼歯用のチューブは、ベース３０に上にチューブ１０をアーチワイヤー貫通孔２０が略水平方向になるように取り付けられている。
【００１７】
図４の（ｃ）に示すように、チューブ１０はベース３０の面の垂線３１に対して、貫通孔２０の中心を通る線２１が一定の角度θの傾きを持って取り付けられている。このベース３０の面の垂線３１に対して、貫通孔２０の中心を通る線２１の傾き角度θは、図１に示した上顎の第一小臼歯、第二小臼歯のものとは異なっており、又チューブが使用される下顎の第一小臼歯、第二小臼歯によっても異なっている。
図４の実施例では、図３と同様にチューブの貫通孔の入口に円錐の漏斗状のアーチワイヤーの導入部を設けたために、下顎の第一小臼歯、第二小臼歯のチューブの貫通孔にアーチワイヤーを挿入する作業が容易になる。
【００１８】
図５は本発明の小臼歯用チューブを使用して歯列矯正を行っている様子を示す図である。
治療に際しては、チューブのベース３０の接着面に塗布した接着剤によってチューブを小臼歯の面に固定する。その後、アーチワイヤーが装着される。
図５に示すように、上顎と下顎の第一小臼歯、第二小臼歯にそれぞれのチューブが固定され、各チューブにアーチワイヤーが通され矯正が行われる。
１次治療により大まかに歯列矯正を行う場合には、アーチワイヤーに断面丸形のものを用いたり、細い角形のものを用ることによりアーチワイヤーの固定を緩やかなものとすることが出来る。
【００１９】
歯列を正確な位置に矯正する二次治療の段階においてトルク移動を行いたい場合は、アーチワイヤーに角形のものを用いる。アーチワイヤーのサイズはチューブの貫通孔に応じた大きさになっており、アーチワイヤーはチューブの貫通孔にきっちりと嵌め込むことができる。
本発明の小臼歯用チューブでは、アーチワイヤーはチューブの挿入孔を貫通することにより固定されるので、アーチワイヤーはチューブの挿入孔の４面、即ち上面，下面，両側面で固定される構成となっている。この４面の固定は、咀嚼等を行ってアーチワイヤーに力が加わってもアーチワイヤーを常時４面からしっかりと固定することができるので所望のトルク移動を可能となる。
【００２０】
本発明では、アーチワイヤーの形を選択することで、緩やかな固定からしっかりとした固定まで実現できるので、本発明の歯列の粗揃え段階から正位置矯正段階まですべての治療段階に対応でき、且つ表面が凹凸の少ない形状であるから、歯垢が付き難く、また壊れ難く、加えて歯磨きの際に歯ブラシも届き易いので清掃を容易に行うことができる。
本発明の小臼歯用チューブは、アーチワイヤーの装着には、チューブの貫通孔にアーチワイヤーを通すだけで良いので、施術作業が容易であり、チューブに装着されたアーチワイヤーは容易に外れる様なことはない。
本発明の小臼歯用チューブを使用した歯列矯正では、従来のような医師の勘によって固定ワイヤーの結紮強度を加減しアーチワイヤーの固定程度を調整する必要が無いので、医師の技能に左右されることがなくなり、固定の強さはアーチワイヤーの形状を選択することで自動的に設定されるために、医師の技能によらない一定の固定強さが実現できる。
【００２１】
【発明の効果】
以上の説明より明らかなように、本発明の小臼歯用チューブは、角形の断面を持ったアーチワイヤーの貫通孔を持ったチューブと、このチューブが取り付けられる板状のベースとよりなり、前記チューブはその貫通孔の中心を通る線がベースの面の垂線に対して一定の角度の傾きを持ってベースに取り付けられており、チューブをベースを介して小臼歯に固着してアーチワイヤーをチューブ貫通孔通して取り付けるようにすることにより、アーチワイヤーを安定に固定出来るようにしたものである。
本発明においては、アーチワイヤーの固定をチューブにより行うようにしたために、口の奥に位置しているために作業のしにくい小臼歯に対して前方からアーチワイヤーを容易に装着することができるので、アーチワイヤー装着施術の過程で、アーチワイヤーを締結により固定やロックピンによる固定を行う必要が無く、アーチワイヤーが勝手には外れることがなく、施術作業性が非常に良好なものとなる。又、本発明の小臼歯用チューブは表面が凹凸の少ない形状であるから、歯垢が付き難く、また壊れ難く、加えて歯磨きの際に歯ブラシも届き易いので清掃を容易に行うことができる。
【図面の簡単な説明】
【図１】  本発明の小臼歯用チューブの一実施例を示す説明図で、図１の（ａ）は本発明の小臼歯用チューブの一実施例を示す正面図、図１の（ｂ）はそのＩ−Ｉ線での断面図、図１の（ｃ）はその側面の断面図である。
【図２】  本発明の小臼歯用チューブの他の実施例を示す説明図で、下顎の第一小臼歯に使用される小臼歯用チューブの例を示したものである。
【図３】  本発明の小臼歯用チューブの他の実施例を示す説明図で、チューブの貫通孔の入口を円錐の漏斗状にしてアーチワイヤーの挿入を容易にしたものである。
【図４】  本発明の小臼歯用チューブの更に他の実施例を示す説明図で、図３と同様にチューブの貫通孔の入口を円錐の漏斗状にしてアーチワイヤーの挿入を容易にしたもので、下顎の第一小臼歯に使用される小臼歯用チューブの例を示したものである。
【図５】  本発明の小臼歯用チューブを使用して歯列矯正を行っている様子を示す図である。
【図６】  従来より広く使用されている歯列矯正具のブラケットとアーチワイヤーを使用した歯列矯正治療方法の一例を示したものである。
【符号の説明】
１０・・・アーチワイヤーの挿入されるチューブ，
２０・・・角形の断面を持ったチューブ１０の貫通孔，
２２，２３・・・チューブの貫通孔２０の入口に設けられた円錐の漏斗状のアーチワイヤーの導入部，
３０・・・チューブ１０が取り付けられる板状のベース，
３１・・・ベース３０の面の垂線，
３２・・・基準溝，
４０・・・ブラケット，
５０・・・アーチワイヤー，
６０・・・締結ワイヤー，
【図１】
0004375889.tif 000002
【図２】
0004375889.tif 000003
【図３】
0004375889.tif 000004
【図４】
0004375889.tif 000005
【図５】
0004375889.tif 000006
【図６】
0004375889.tif 000007